(57)【要約】【課題】容易に着脱できるにもかかわらず、使用者の足首の動きを阻害することなく、より自然に足首を動かすことができる歩き易い靴を提供すること。【解決手段】靴底部１１０と、アッパー本体部１２０と、踵部１４０と、を備え、前記アッパー本体部には、履き口部１２２と、足挿入用開口部１２３と、舌状当接部１３０と、固定用ベルト部１３５が配置され、前記固定ベルト部には、ベルト側着脱部１３５ａを備え、前記アッパー本体部には、アッパー側着脱部１２１ａが備えられ、前記舌状当接部を前記足挿入用開口部に対応して配置した際に、前記舌状当接部の上端部１３１が、前記履き口部より上方に位置するよう形成され、前記舌状当接部の少なくとも前記履き口部側には伸縮性を備える緩衝手段１３１ａが配置されている靴１００。【選択図】  図１
2004208926.tif 000002
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部と、を備え、
前記アッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部に固定用ベルト部が配置され、
前記固定ベルト部には、前記アッパー本体部に対して着脱可能な構成となっているベルト側着脱部を備え、
前記アッパー本体部には、前記ベルト側着脱部と対を成すアッパー側着脱部が備えられ、
前記舌状当接部を前記足挿入用開口部に対応して配置した際に、前記舌状当接部の上端部が、前記履き口部より上方に位置するよう形成され、
前記舌状当接部の少なくとも前記履き口部側には伸縮性を備える緩衝手段が配置されていることを特徴とする靴。
【請求項２】
前記固定用ベルト部は、前記舌状当接部の両側である前記アッパー本体部の内足側及び外足側にそれぞれ配置されていることを特徴とする請求項１に記載の靴。
【請求項３】
前記履き口部の開口端部には、緩衝手段が配置されていることを特徴とする請求項１又は請求項２に記載の靴。
【請求項４】
前記舌状当接部は、靴の内部側である内側に緩衝層が配置され、
前記緩衝層の外側に剛性層が配置され、
前記舌状当接部の少なくとも前記履き口部側の前記剛性層を除去することで、前記緩衝手段を形成する構成となっていることを特徴とする請求項１乃至請求項３のいずれかに記載の靴。
【請求項５】
前記踵部は、前記靴底部に形成される靴底側踵部と前記アッパー本体部に形成されるアッパー本体側踵部とを有し、
少なくとも前記アッパー本体側踵部には、その剛性を高めるためにカウンター部が設けられ、
前記固定用ベルト部のそれぞれの前記ベルト側着脱部及び前記アッパー側着脱部は、前記カウンター部の外縁部に近接して配置されると共に、
前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、
また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする請求項２乃至請求項４のいずれかに記載の靴。
【発明の詳細な説明】
【０００１】
【発明の属する技術分野】
本発明は、着脱が容易で歩行し易い靴に関するものである。
【０００２】
【従来の技術】
従来の靴は、例えば足挿入開口上に舌片状当接部を配置し、その上から固定手段として紐やベルトを使用して足を固定していたが、幼児等にとっては着脱しづらかった。
そこで、従来の舌片状当接部を有する靴は、例えば図１６に示すように構成されている（例えば特許文献１参照）。
図１６は、従来の靴１０を示す概略斜視図であり、図１７は従来の靴１０を示す他の概略斜視図である。
図１６に示すように、靴１０には、履き口１１と、この履き口１１に対して舌ベルト１２が設けられている。
この舌ベルト１２は、図１７に示すように爪先方向へ開くようになっており、この舌ベルト１２が開くことによって、靴１０の履き口１２が図１７に示すように大きく形成されるように成っている。
このため、使用者が靴を履くときは、図１７のように履き口１２を大きく開けた状態で足を靴１０に挿入し、その後、舌ベルト１２を図１６に示すように閉状態にすることで、足は靴１０によって保持される構成となっている。
【０００３】
【特許文献１】
実開平４−３４９０６号公報（第１図及び第２図）
【０００４】
【発明が解決しようとする課題】
しかし、足を靴１０に挿入し、図１６に示すように舌ベルト１２を閉状態にして、歩行を始めると、足首の前側を屈曲することになる。
このとき、足首の前側が図１６の舌ベルト１２の上端部１２ａに当接し、足の屈曲を阻害するという問題があった。
特に、例えば幼児等のように足首が太く、力が弱い場合は、靴１０の舌ベルト１２の例えば上端部１２ａが足の屈曲を妨げるので、幼児等に不快感を与えるだけでなく、歩行運動を阻害し、ひいては、幼児等の歩き方に悪影響を与えるという問題もあった。
【０００５】
本発明は、以上の点に鑑み、着脱が容易でありながらも使用者の足首の動きを阻害することなく、より自然に足首を動かすことができる歩き易い靴を提供することを目的とする。
【０００６】
【課題を解決するための手段】
前記目的は、請求項１の発明によれば、使用者の足の足裏側を配置するための靴底部と、前記靴底部から立ち上がるように、且つ使用者の足を包むように形成されるアッパー本体部と、使用者の足の踵を配置するための踵部と、を備え、  前記アッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部に固定用ベルト部が配置され、前記固定ベルト部には、前記アッパー本体部に対して着脱可能な構成となっているベルト側着脱部を備え、前記アッパー本体部には、前記ベルト側着脱部と対を成すアッパー側着脱部が備えられ、前記舌状当接部を前記足挿入用開口部に対応して配置した際に、前記舌状当接部の上端部が、前記履き口部より上方に位置するよう形成され、前記舌状当接部の少なくとも前記履き口部側には伸縮性を備える緩衝手段が配置されていることを特徴とする靴により達成される。
【０００７】
請求項１の構成によれば、前記舌状当接部を前記足挿入用開口部に対応して配置した際に、前記舌状当接部の上端部が、前記履き口部より上方に位置するよう形成される。
このため、使用者が靴を履いた際に、前記舌状当接部は足首と離間することなく、足首に沿って配置される。
すなわち、足首と前記舌状当接部との間の隙間が生じすぎるのを未然に防止し、靴内における足の不必要な動きを防ぐことができ、使用者が歩き易い靴となる。
また、使用者が靴を履いた際のフィット感が向上し、足首の屈曲部位が前記舌状当接部によって適度に固定される。
【０００８】
そして、前記舌状当接部の少なくとも前記履き口部側には伸縮性を備える緩衝手段が配置されている。
このため、使用者が歩行する際に、前記舌状当接部の上端部が足首の屈曲する部位に食い込むことがない。また、前記舌状当接部の前記緩衝手段が使用者の足首の動きに同期して伸縮するので、前記舌状当接部が足首の動きを阻害することがなく、より自然に足首を動かすことができ、歩きやすい靴となる。
【０００９】
好ましくは、請求項２の発明によれば、請求項１の構成において、前記固定用ベルト部は、前記舌状当接部の両側である前記アッパー本体部の内足側及び外足側にそれぞれ配置されていることを特徴とする靴である。
【００１０】
請求項２の構成によれば、前記固定用ベルト部は前記舌状当接部の両側である前記アッパー本体部の内足側及び外足側にそれぞれ配置されている。
このため、これら固定用ベルト部の前記ベルト側着脱部による固定位置を内足側と外足側にそれぞれ調整することで、前記舌状当接部の前記履き口部に対する相対位置を変更することができ、これにより前記履き口部の開口の大きさをバランスよく使用者の足首の大きさに合わせて容易に調整することができる。
また、舌状当接部の両側が着脱できることに伴い、舌片当接部を大きく開くことができ、足挿入用開口部を露出させて靴を着脱することが容易に行える。
【００１１】
好ましくは、請求項３の発明によれば、請求項１又は請求項２の構成において、前記履き口部の開口端部には、緩衝手段が配置されていることを特徴とする靴である。
【００１２】
請求項３の構成によれば、前記履き口部の開口端部には、緩衝手段が配置されているので、前記舌状当接部の緩衝手段と共に、靴の履き口の開口は緩衝手段によって囲繞される。
このため、使用者の足首は全周にわたり前記緩衝手段と当接し、前記緩衝手段は、足首に柔らかく当接し、足首にフィットする。
また、緩衝手段が足首に当接するので、強く前記履き口部及び前記舌状当接部を足首に押し付けても、緩衝手段の変形により利用者の足首の屈曲が確保される。このため、靴が足首を保持するホールド性が向上する。
【００１３】
好ましくは、請求項４の発明によれば、請求項１乃至請求項３のいずれかの構成において、前記舌状当接部は、靴の内部側である内側に緩衝層が配置され、  前記緩衝層の外側に剛性層が配置され、前記舌状当接部の少なくとも前記履き口部側の前記剛性層を除去することで、前記緩衝手段を形成する構成となっていることを特徴とする靴である。
【００１４】
請求項４の構成によれば、前記舌状当接部の少なくとも前記履き口部側の前記剛性層を除去することで、前記緩衝手段を形成する構成となっているので、前記緩衝手段を容易に形成することができる。
また、足挿入用開口部の下側に位置する足についても、緩衝層によって柔らかく保持されると共に、足挿入用開口部の上部に配置された剛性層によって舌状当接部が歩行時に不要に変形してしまうことを防ぐ。
【００１５】
好ましくは、請求項５の発明によれば、請求項２乃至請求項４のいずれかの構成において、前記踵部は、前記靴底部に形成される靴底側踵部と前記アッパー本体部に形成されるアッパー本体側踵部とを有し、少なくとも前記アッパー本体側踵部には、その剛性を高めるためにカウンター部が設けられ、前記固定用ベルト部のそれぞれの前記ベルト側着脱部及び前記アッパー側着脱部は、前記カウンター部の外縁部に近接して配置されると共に、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする靴により達成される。
【００１６】
請求項５の構成によれば、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられている。
したがって、前記固定用ベルト部は使用者の足を靴の踵部の方向に固定するように作用することとなる。このため、従来の靴のように使用者の足を靴底方向へ固定する場合に比べ格段にホールド性が向上し、靴の中で、足が動いてしまい、歩行し難くなることに伴う、足の運びや足の形への影響を防ぐことができる。
【００１７】
また、少なくとも前記アッパー本体側踵部に、その剛性を高めるために配置されるカウンター部が設けられている。
したがって、前記カウンター部が配置されることで、靴の前記アッパー本体側踵部の剛性が高められ、靴の前記踵部に使用者の足の踵が正確にホールドされ易くなる。
すなわち、前記固定用ベルト部が上述のように使用者の足を靴の踵部方向へ固定するように作用すると、この剛性が高められた前記カウンター部を介して使用者の足の踵が前記靴の踵部に押し付けられ、より確実に足の踵が靴の踵部に固定されるので、ホールド性が著しく向上することになる。
更に、踵部に剛性があることで、靴の着脱を行う際に、踵部が潰れることがないなど容易に着脱できる構成となっている。
【００１８】
また、前記固定用ベルト部のそれぞれの端部は、前記カウンター部の外縁部に近接して配置されている。
したがって、固定用ベルト部が、強いカウンター部の近くに固定され、確実にホールドしているにもかかわらず、前記カウンター部と前記固定用ベルト部との間が直接固定されず、その間の剛性は高くないので、使用者の歩行時の足の変形に応じて変形可能となっている。このため、使用者が歩行に際し足を変形し易い構成となっており、歩き易い靴となっている。
これにより、使用者の足が靴の中でしっかり固定されると共に、必要に応じて屈曲も行い易いので、歩きやすい靴となる。
【００１９】
さらに、前記舌状当接部の両側に配置されるそれぞれの前記固定用ベルト部を結んだ仮想線の領域に、使用者の足の甲における足高点が位置するように、前記固定用ベルト部が配置される構成となっている。
したがって、前記固定用ベルト部が、使用者の足の甲を靴底方向に押し付けてしまい、靴の中の足のホールド性が低下するのを効果的に防ぐことができる。
すなわち、使用者の足の甲の足高点より爪先側の足の甲に前記固定用ベルト部を結んだ仮想線の領域が配置されると、この固定用ベルト部の押し付け力は足の甲側から足の裏側のみに向けられ、足を靴底側に押し付け足を固定しようとする。これでは、足の甲の部分を押し付けるだけで、靴の中における足の動きが大きな踵部をホールドできないため、足の踵の固定ができず、足がズレ易く、歩き難くなってしまう。
また、使用者の足首側に前記固定用ベルト部を結んだ仮想線の領域が配置されると、使用者の足首を曲げる動きを妨げてしまう。
【００２０】
この点、本請求項の構成では、前記固定用ベルト部が前記舌状当接部の両側に配置されるそれぞれの前記固定用ベルト部を結んだ仮想線の領域に、使用者の足の甲における足高点が配置されるので、不必要に足の甲を足裏側に押さえつけることがなく、確実に踵側に向かって固定されるため足首の動きを妨げることなく、靴の踵部方向に、足の踵部を固定することとなり、靴の中で足が動いてしまうことを防ぐことができる。
【００２１】
以上により、本請求項の構成によれば、使用者が靴を履いた後は、足が靴の踵部に押し付けられて固定されるので、ホールド性が良く歩きやすい靴となる。
【００２２】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
（第１の実施の形態）
（本発明の実施の形態に係る歩行練習期用幼児用靴の全体構成の概略について。）
図１は、本発明の実施の形態に係る歩行練習期用幼児用靴（以下、「幼児用靴」という）１００を示す概略斜視図である。
図１に示すような幼児用靴１００は、月齢が経ち、幼児が１人で前に向かって歩くことができるようになり始め、足の裏全体を地面につけて足の指でバランスを取りながら歩き始める、いわゆる歩行練習期以降に用いられる幼児用靴である。
【００２４】
具体的には、月齢が例えば１２ヶ月程度の幼児からが対象となる。この頃の月齢の幼児は、手を離して前によちよち歩き始める月齢となる。
幼児用靴１００は、図１に示すように、使用者である幼児等の足の足裏側を配置するための靴底部１１０と、前記靴底部１１０から立ち上がるように、且つ幼児等の足を包むように形成されるアッパー本体部１２０と備えている。
【００２５】
（靴底部１１０について）
図２は図１の幼児用靴１００の中央縦断図を示す概略図である。
図２に示すように、靴底部１１０は、その表面側に靴底本体１１２が配置され、この靴底本体１１２の内側には中底１１１が形成されている。
【００２６】
（靴底本体１１２について）
靴底本体１１２は、弾性部材である熱可塑性のエラストマーや合成ゴム若しくは天然ゴム等で形成されているため、歩く際の衝撃を吸収し、滑り止め効果も発揮するように構成されている。
図３は、図１の靴底本体１１２を示す概略底面図である。
図２及び図３に示すように、靴底本体１１２の爪先側には溝部１１２ａが複数形成され、これら溝部１１２ａは靴底本体１１２の幅方向に形成されている。
このため、靴底本体１１２が溝部１１２ａの位置で靴底本体１１２の長さ方向に屈曲し易い構成となっている。
また、靴底本体１１２には、円形等の異なった複数の種類の滑り止め部１１２ｂも形成されているので、滑らずに歩行し易い構成ともなっている。
【００２７】
（溝部１１２ａと足指屈曲線等Ｃとの関係について）
ところで、幼児等が歩行や爪先立ちをする際には、踵を上げて足指を屈曲させる動作をよく行い、このとき、この足指の屈曲する部分が、足指屈曲線といわれている。図４は、足の骨格等を示す概略説明図である。
図４に示すように、足指は親指側である第１趾から小指側である第５趾まで配置され、その各指の中足指関節及びその周辺である、図において矢印Ｃで示す領域に足指屈曲線又はその近傍である足指屈曲線等Ｃが形成される。
この足指屈曲線等Ｃに沿って屈曲する足の屈曲運動は歩行に際し、重要な動作であるため、歩行が上手くできない幼児等のための靴では、この足指屈曲線等Ｃに沿って屈曲し易い靴であることが重要なこととなる。
【００２８】
幼児用靴１００の靴底本体１１２のうち、前記足指屈曲線等Ｃに対応する部分には、図３に示すように溝部１１２ａが複数、爪先側にふくらんだ曲線形状で形成されている。
したがって、幼児等が歩行に際し、足指屈曲線等Ｃを屈曲する際、靴底本体１１２の溝部１１２ａも追従して変形、屈曲し、幼児等の歩行に際し行われる足指の屈曲を妨げない構成となっている。
なお、ここでは、屈曲しやすいよう溝部１１２ａを形成しているが、同様に屈曲し易ければ、靴底本体１１２を硬い素材で構成し、溝部１１２ａに対応した部分が軟らかい材料で形成されるようにしても良い。
【００２９】
（アッパー本体部１２０について）
図１に示すように、アッパー本体部１２０は、アッパー本体１２１を有している。また、アッパー本体部１２０は、使用者の足を挿入するための履き口部１２２も有している。
図５は、図１の履き口部１２２を開状態にした概略平面図である。
図５に示すようにアッパー本体部１２０は、履き口部１２２の一部を切り欠いて爪先方向に向かって形成されている足挿入用開口部１２３が形成されている。
また、アッパー本体部１２０は、図１に示すように使用者の足の踵を配置するための踵部１４０も有している。
【００３０】
（アッパー本体１２１、履き口部１２２及び足挿入用開口部１２３について）
アッパー本体１２１は、全体が通気性に富んだ、柔らかい材質等で覆われ、アッパー本体１２１の上端部に、図１に示すように幼児等の足を挿入するための履き口１２２が形成されている。
また、図５に示すように、足挿入用開口部１２３は履き口部１２２と連接して形成されている。
このように、履き口部１２２と足挿入用開口部１２３とが連接して形成されているため、幼児等が足を挿入しやすい大きな開口を形成可能な構成となっている。
【００３１】
図１及び図２に示すように、履き口部１２２の開口端部１２２ａには、その内部に緩衝手段である例えばスポンジ１２２ｂが配置されている。
このスポンジ１２２ｂは、例えばポリウレタンやＥＶＡ等の材質で形成されている。
このように履き口部１２２の開口端部１２２ａにスポンジ１２２ｂが配置されることにより、履き口部１２２は使用者の足首に柔らかく当接するので、履き心地がよくなると共に、足首の屈曲を妨げることがない。
ところで、図１に示すように、履き口部１２２の近傍にはカウンターループ１６０が形成され、幼児等が靴を履く際の手がかりとなるように構成されている。
【００３２】
（踵部１４０について）
図１に示すように、幼児等の足の踵を配置するための踵部１４０がアッパー本体１２１から靴底部１１０にまたがって形成されている。
この踵部１４０は、具体的には図２に示すように、靴底部１１０の一部に形成される靴底側踵部１４２と、アッパー本体１２１に形成されるアッパー本体側踵部であるアッパー側踵部１４１とで構成される。
そして、このアッパー側踵部１４１には、図２に示すように、その剛性を高めるためにカウンター部１５０が配置されている。
これは、上述のようにアッパー本体１２１は柔らかな素材で構成されているため、幼児等の踵を保持するには剛性が不足するからである。
なお、図６はカウンター部１５０の配置状態等を示す概略図である。
【００３３】
一方、靴底側踵部１４２は、靴底本体１１２が弾性部材である熱可塑性のエラストマーや合成ゴム若しくは天然ゴム等で形成されているため踵を保持するための十分な剛性を有するため、カウンター部１５０が配置されていないが、この靴底側踵部１４２にカウンター部１５０を配置しても構わない。
カウンター部１５０は、図６の斜線部分に示すように、例えば側面からみて円弧状に配置され、厚さ１．２ｍｍ程度のゴム等から構成されている。
このようにアッパー側踵部１４１に、カウンター部１５０を配置することで剛性が高められ、後述するように固定ベルト１３３で固定された際に、幼児用靴の踵部１４０に幼児等の足の踵が正確にホールドされることになる。
【００３４】
（舌片１３０等について）
ところで、図１に示すように、足挿入用開口部１２３に対応して舌状当接部である舌片１３０が図１に示すように配置されている。
この舌片１３０は、アッパー本体部１２０の足挿入用開口部１２３に対応して、これを塞ぐように、すなわち図１に示すように配置されると、舌片１３０の上端部である舌片上端部１３１（図６参照）が履き口部１２２より上方に位置するように成っている。
このため、使用者が幼児用靴１００を履いた際に、舌片１３０、特に舌片上端部１３１は、使用者の足首と離間することなく、足首に沿って配置される。
すなわち、使用者の足首と舌片１３０との間の隙間が生じるのを未然に防止し、幼児用靴１００内における足の不必要な動きを防ぐことができ、使用者が歩き易い幼児用靴１００となる。
また、使用者が幼児用靴１００を履いた際のフィット感が向上し、使用者の足首の屈曲部位が舌片１３０によって適度に固定されることになる。
【００３５】
ところで、舌片１３０の履き口部１２２側（靴の内部側）である内側には、図２に示すように緩衝層である例えば緩衝部１３３が配置されている。
この緩衝部１３３は、例えばスチレンブタジエンゴム（ＳＢＲ）やポリウレタン等のスポンジが裏地等に覆われて形成されている。
また、緩衝部１３３の図２の外側には、剛性層である剛性部１３２が配置されている。
この剛性部１３２は、例えばキャンバスやトリコット（ＴＣ）等の芯地と、  マイクロスウェードやポリウレタンによる合成皮革や天然皮革等の表地１３２ａから形成されており、比較的変形しづらい強さを有している。
【００３６】
このように２層に形成されている舌片１３０の図２における履き口部１２２側の剛性部１３２を除去することで、伸縮性を備える緩衝手段である例えばクッション部１３１ａが形成されている。
すなわち、図５及び図６に示すように舌片１３０の舌片上端部１３１の一部に例えば略半円形にクッション部１３１ａを形成する。
図７は、使用者の歩行状態等を示す概略説明図である。
図７に示すように、使用者が爪先立ちや歩行する際に、クッション部１３１ａが足首の屈曲に追従して、若しくは同期して伸縮するので、舌片１３０が使用者の足首の動きを阻害することなく、使用者はより自然に足首を動かすことができ、歩き易い幼児用靴１００となる。
すなわち、従来の靴と異なり、使用者が歩行する際に、舌片の上端部が足首の屈曲する部位に食い込むことがない。
また、幼児用靴１００を履く際においても、舌片上端部１３１ａが足首に食い込むことがないため、しっかりと舌片１３０を装着することができる。
【００３７】
また、クッション部１３１ａは、舌片１３０から剛性部１３２の一部を除去することで形成できるので、別のクッション部を更に設ける場合に比べ、容易に設けることができ、コストダウンを図ることができる。
図８は、図５のＢ−Ｂ’線概略断面図である。
図８は図２の矢印ｄで示す部分に概略拡大図でもある。
図８に示すように剛性部１３２は、表地１３２ａと芯地１３２ｂとを有している。そして、この表地１３２ａと芯地１３２ｂとが比較的強さを有しているため、剛性が強く、容易に変形等し難い構成となっている。
一方、緩衝部１３３は、図８に示すように、スポンジ１３３ａが裏地１３３ｂで挟まれるように成っている。上述のように、スポンジ１３３ａはスチレンブタジエンゴム（ＳＢＲ）やポリウレタン等で形成されているので、弾力性があり伸縮性を備える構成となっている。
また、クッション部１３１ａは、図８に示すように緩衝部１３３が折り返されて端部が剛性部１３２の下側に位置しており、実質的に緩衝部１３３がクッション部１３１では二重とされているので、弾力性等がより向上する構成となっている。
【００３８】
図９は、図１の概略平面図である。
上述のように、クッション部１３１ａが構成されているので、舌片１３０を図５の足挿入用開口部１２３を塞ぐように配置すると、図９に示すように、履き口部１２２等の幼児用靴１００の履き口は、スポンジ１２２ｂを有する開口端部１２２ａとクッション部１３１ａとで囲繞される。
このため使用者の足首は、図７に示すように全周にわたり開口端部１２２ａとクッション部１３１ａと当接するので、これら開口端部１２２ａとクッション部１３１ａは足首に柔らかく当接し、足首にフィットすることとなる。
また、これら開口端部１２２ａとクッション部１３１ａが使用者の足首に当接するので、強く舌片１３０を足首側に押し付けるように、しっかりと舌片１３０を固定しても、開口端部１２２ａのスポンジ１２２ｂとクッション部１３１ａのスポンジ１３３ａが変形する。
このため、確実に舌片１３０で固定して、使用者の足首の図７に示すような足首の屈曲を妨げることなく保持され、幼児用靴１００の足首に対するホールド性が向上する。
特に、乳幼児の骨や筋肉が未発達な使用者の場合には、成長を妨げることなく、安全に練習を行うことができる。
【００３９】
（固定ベルト１３３について）
図１に示すように、舌片１３０の両側には固定用ベルト部である固定ベルト１３５、１３５が形成されている。この２つの固定ベルト１３５、１３５は舌片１３０に対して一体的に形成され、且つその舌片１３０の両側からそれぞれアッパー本体１２１の内足側及び外足側に配置されている。
この固定ベルト１３５は、図５に示すように舌片１３０における幅方向中央線からの内足側の長さ（Ｌ１）が外足側の長さ（Ｌ２）より例えば５ｍｍ程度短く形成されている。
これは、以下の理由による。図１０は、人の足の概略骨格図である。図１０に示すように、足の甲の最も高い部分は、足高点Ｔと呼ばれるが、図１０に示すように、足高点Ｔの内足側の長さ（Ｌ１）と外足側の長さ（Ｌ２）との長さは同じではなく、内足側の方が短く成っている。
この骨格上の相違に対応して図５の内足側の長さ（Ｌ１）を短く形成している。
このため、従来のように内足側の固定ベルトが足の骨格の長さ（Ｌ１）より長すぎ、遊びが生じ、左右の幼児用靴１００の内足側の固定ベルトが相互に接触して歩行を阻害することを未然に防ぐことができる。
【００４０】
また、このように内足側の固定ベルト１３５を外足側の固定ベルト１３５より短く形成することで、舌片１３０を図１に示すように配置した際に、後述する舌片１３０の幅方向の略中央部に配置されているセンターステッチ部１３４（図１参照）が、上述した足高点Ｔに配置されるよう装着しやすい。
これにより、人の足の骨格に沿って舌片１３０を正しい位置に配置することができるので、舌片１３０による保持が精度良く行われることになる。
【００４１】
この２つの固定ベルト１３５、１３５の端部である先端部の内側には、図５に示すようにアッパー本体１２１に対して着脱可能な構成となっているベルト側着脱部である例えば、ベルト側面ファスナー１３５ａ、１３５ａがそれぞれ形成されている。
また、アッパー本体１２１には、ベルト側面ファスナー１３５ａ、１３５ａと対を成すアッパー側着脱部である例えば、アッパー側面ファスナー１２１ａ、１２１ａがベルト側面ファスナー１３５ａよりも小さな大きさで形成されている。
【００４２】
このため、これらベルト側面ファスナー１３５ａとアッパー側面ファスナー１２１ａとを幼児等自ら、若しくは幼児等の母親等が操作すれば容易に着脱可能で位置の調整も可能な係合手段となるように構成されている。
したがって、足の幼児用靴１００に対する固定や開放は、前記固定ベルト１３５のベルト側面ファスナー１３５ａとアッパー側面ファスナー１２１ａとの間の係合状態を操作するだけなので、従来のように紐等によって内側の舌片を固定する場合よりも極めて容易に着脱をすることができる。
また、ベルト側面ファスナー１３５ａとアッパー側面ファスナー１２１ａによる固定位置を調整することで、図１の舌片１３０の履き口部１２２に対する相対位置を変更することができる。
これにより、履き口部１２２の開口の大きさを使用者の足首の大きさに合わせて容易に調整することができる。
しかも、アッパー側面ファスナー１２１ａよりも、ベルト側面ファスナー１３５ａが大きく形成されているため、容易に装着でき、固定位置を調整しても、確実に固定状態を維持できる。
また、図５に示されているように足挿入用開口部１２３の露出を容易に大きく行うことができるため、履き（履かせ）易く、脱ぎ（脱がせ）易い。
【００４３】
（センターステッチ部１３４等について）
ところで、図１に示すように、舌片１３０の幅方向中央領域には、爪先側から足首側に向かって位置決め部である例えば、センターステッチ部１３４が形成されている。
図１１は、図５のＡ−Ａ’線概略部分断面図である。図１１に示すようにセンターステッチ部１３４は、剛性部１３２の内の表地１３２ａを芯地１３２ｂの上で折り返して二重とした状態で縫合することで形成されている。
すなわち、この表地１３２ａの縫合によって剛性が更に高まり保形性が高まる構成となっている。
このセンターステッチ部１３４の形状は、図１及び図６に示すように逆反り形状であり、図１０の足の甲に形状に沿った形に形成されている。
したがって、図１の舌片１３０を足の甲の形状に沿って配置し、且つ保形するので、舌片１３０の足の甲の部分に対応する部分に不必要な歪みが生ぜず、更に均等に足の甲に接するため使用者の歩行を阻害することを未然に防ぐことができる。
【００４４】
また、センターステッチ部１３４は、舌片１３０を図１のように配置した際に、図１０の足高点Ｔ上に配置される。そして、２つの固定ベルト１３５、１３５をアッパー本体１２１にベルト側面ファスナー１３５ａ等で固定すると、図１の矢印で示すように、センターステッチ部１３４からベルト側面ファスナー１３５ａ等に向かって力が働く。
しかし、センターステッチ部１３４は剛性が高く、保形性があるので、変形しづらい。このため、足の幅方向の略中央部を基準に左右のベルト側面ファスナー１３５ａ等に向かって両側に等しく力が働くので、精度良く舌片１３０をアッパー本体１２１に装着することができる。
さらに、センターステッチ部１３４を視認しつつ固定ベルト１３５を固定することができるため、センターステッチ部１３４が足高点Ｔ上に確実に位置させるための位置決め部として機能する。
【００４５】
すなわち、固定ベルト１３５は、締める力を均等とすることができ、アッパー１２０を歪めることなく、固定することができる。
なお、ここでは、面ファスナー１３５ａ、１２１ａを略長方形としているが、固定ベルト１３５の接合強度を強め、確実に固定できるよう、足挿入用開口部１２３側に延伸させてもよい。
【００４６】
（固定ベルト１３５と踵部１４０等との関係について）
図６に示すように２つの固定ベルト１３５、１３５のそれぞれの先端部の幅方向における略中央部を相互に結んだ仮想線Ｈをそのまま延長した場合に、この仮想線Ｈが、踵部１４０における図２に示すアッパー側踵部１４１と靴底側踵部１４２との境界部又はその近傍に達するように固定ベルト１３５は配置されている。
また、この仮想線Ｈを延長して、図６に示す載置面（床）の仮想線Ｋと交差する部位における角度θは、例えば３０度乃至４０度となっている。
したがって、幼児等が幼児用靴１００を履き、図１に示すように固定ベルト１３５を締める。すなわち、固定ベルト１３５の先端部のベルト側面ファスナー１３５ａをアッパー側面ファスナー１２１ａと係合させると、固定ベルト１３５は、幼児等の足を幼児用靴１００の踵部１４０の方向へ固定するように作用することになる。
【００４７】
これにより、本実施の形態の幼児用靴１００は、従来の靴のように幼児等の足を靴底部１１０側に略垂直方向に固定する場合に比べ格段にホールド性が向上すると共に、幼児等の歩行に伴う足指や足首の屈曲を妨げることなく、足を靴にホールドできる。また、幼児用靴１００の中で足が動いてしまい、歩行し難いことに伴う、足の運びや足の形のへの影響を未然に防ぐことができるので、歩行しやすい幼児用靴１００となる。
【００４８】
なお、この固定ベルト１３５の固定方向は上述のように踵部１４０の方向であり、この踵部１４０には図２等に示すようにカウンター部１５０が配置され、踵部のうち、特にアッパー側踵部１４１の剛性が高められている。
このため、幼児等の足を前記固定ベルト１３５で幼児用靴１００の踵部１４０方向へ固定すると、この剛性が高められたカウンター部１５０を介して幼児等の足の踵が幼児用靴１００の踵部１４０に押し付けられ、より確実に足の踵が踵部１４０に固定されるので、幼児等の足の靴に対するホールド性が著しく向上することになる。
【００４９】
ところで、固定ベルト１３５、１３５の２つの先端部は、図６に示すように、このカウンター部１５０の外縁部１５１と近接して配置される構成となっている。
したがって、カウンター部１５０に固定ベルト１３３の２つの端部である先端部が直接、固定されない構成となっている。
したがって、この先端部とカウンター部１５０の外縁部１５１との間が直接固定されず、その間にはアッパー本体１２１の柔らかい素材が配置され剛性は高くないので、幼児等の歩行時に行う足指屈曲等に伴う足の変形に応じて、この柔らかい素材部分が変形し、足に負担をかけない構成となっている。
このため、幼児等の足が幼児用靴１００内でしっかり固定されると共に、必要に応じて、上述のように柔らかい素材部分が変形するので、幼児等にとって歩きやすい靴となる。
【００５０】
ところで、舌片１３０は、外周をポリエステル等でパイピングして、伸び等を抑え、更に、開く際の指かかりが良くなるように構成してもよい。
【００５１】
（基部１７０について）
図１に示すように舌片１３０の基部１７０は、足挿入用開口部１２３の爪先側の端部又はその近傍のアッパー本体１２１に設けられた縫合部１７１に縫合等されている。
この縫合部１７１によって前記舌片１３０を固定するため、自由端側となる舌片１３０の舌片上端部１３１側を図５に示すように、幼児用靴１００の爪先側に倒すことができ、使用者等が足挿入開口部１２３を図５に示すように開状態にし、足を挿入して履く際に、前記舌片１３０が邪魔になることがない。
したがって、幼児等が足を入れやすく履きやすい幼児用靴１００となる。
また、この縫合部１７１は、図６に示すように溝部１１２ａの上方における、特に爪先側に形成されている。
【００５２】
靴底部１１０に形成されている溝部１１２ａの配置領域は、上述のように、図４で示す幼児等の足の足指屈曲部Ｃが配置される部分である。
したがって、幼児等の足の足指屈曲線等Ｃの上方に縫合部１７１が形成されることになる。
ところで、この縫合部１７１は、縫合等によりアッパー本体１２１の他の部分より脆弱部となるため屈曲し易い部分となっている。
すなわち、縫合を行った場合、その縫合線に沿う方向には、剛性が弱まる傾向にあるためである。
逆に、センターステッチ部１３４のように縫合線と交差する方向に対しては縫合部１７１の剛性は増すことになる。
したがって、歩行に際し、幼児等が足の足指屈曲部Ｃを屈曲させると、その屈曲動作により、その上方にあるアッパー本体１２１の縫合部１７１も屈曲し、歩行に際し、必要な足指の屈曲を妨げない歩行し易い靴となる。
【００５３】
特に、足指屈曲線Ｃに対応して靴底本体１１２の溝部１１２ａも屈曲するので、幼児等の足指屈曲に対応して靴底部１１０とアッパー本体１１２が屈曲することになり、極めて屈曲し易い歩行し易い幼児用靴となる。
これにより、図７に示すように足指の屈曲に対応して靴底部１１０の溝部１１２ａとアッパー本体１２１の縫合部１７１が屈曲する構成となっている。
【００５４】
（舌片１３０と足の足高点等との関係について）
図１２は人における足の骨格等の概略説明図である。
図１２に示すように人の足には矢印Ｔで示す部分に足高点Ｔと称される部分がある。
本実施の形態の幼児用靴１００は、図９及び図１２に示すように、２つの固定ベルト１３５を結んだ舌片１３０の中央部における上縁部側及び下縁部側の仮想線に挟まれた足高点仮想領域Ｔ１に、幼児等の足の甲における図１２の足高点Ｔが配置されるように舌片１３０は構成されている。
このとき、特に足高点Ｔが足高点仮想領域Ｔ１における下縁部側に位置していることが好ましい。
したがって、固定ベルト１３５が、幼児等の足の甲を靴底部１１０方向に垂直に押し付けてしまい、踵が固定されずに、幼児用靴１００の中の足のホールド性が低下するのを効果的に防ぐことができる。
【００５５】
すなわち、幼児等の足の甲の足高点Ｔより、図９において爪先側の足の甲に２つの固定ベルト１３５の足高点仮想領域Ｔ１が配置されると、この固定ベルト１３５の押し付け力は、足の甲側から足の裏側に垂直方向に向けられ、足を靴底部１１０側のみに押し付けて足を固定しようとする。
これでは、足の甲の部分を押し付けるだけで、幼児用靴１００の中における足の動きが大きな踵の固定ができず、足全体や前後方向のズレや踵の上下方向のズレ等を防ぐことができず、足が靴の中でズレやすく、歩き難くなってしまう。
また、幼児等の足首側に２つの固定ベルト１３５の下縁部側を結んだ足高点仮想領域Ｔ１が配置されると、幼児等の足首の曲げる動きを妨げてしまう。
【００５６】
一方、足の屈曲を考慮して固定ベルト１３５の前記押し付け力を弱めると、足が靴の中で固定されず、やはり歩き難い靴となってしまう。
この点、本実施の形態の幼児用靴１００では、２つの固定ベルト１３５を結んだ舌片１３０の中央部における下縁部側の仮想線に挟まれた足高点仮想領域Ｔ１が、幼児等の足の甲における図１２の足高点Ｔが配置されるように舌片１３０及び固定ベルト１３５は構成されているので、幼児等の足を靴底部１１０方向に略垂直方向に押し付けることがないので、幼児等の足指や足首の屈曲を妨げることなく、足を靴に固定でき、ホールド性が向上することとなる。
すなわち、固定ベルト１３５を結んだ仮想領域が、足高点Ｔから爪先側の足の甲に配置されるのを有効に防止できるので、より精度良く幼児の足を幼児用靴１００の踵部１４０に押し付けることができ、幼児等の足のホールド性がより高まる幼児用靴１００となる。
また、固定ベルト１３５を結んだ仮想領域が幼児等の足首側に配置されることも未然に防止することができるので、幼児等の足首の動きを妨げることもない。
【００５７】
（インソール２００について）
図２に示すように、本実施の形態の幼児用靴１００の中底１１１の上には、脱着可能な中敷きであるインソール２００が設けられている。
図１３（ａ）はインソール２００の概略低面図であり、図１３（ｂ）は図１１（ａ）のＥ−Ｅ’線概略断面図である。
図１３（ａ）に示すように、インソール２００は幼児用靴１００の中底１１１の形状に合わせ形成され、柔らかい材質である例えば発泡ＥＶＡ樹脂や発泡ポリエチレン等により形成されている。
このインソール２００の底面側には図１３（ａ）（ｂ）に示すように、屈曲用溝部２０１が例えば６本形成されている。
【００５８】
この屈曲用溝部２０１は、図３の靴底本体１１２に形成されている溝部１１２ａと同様の領域、すなわち、足指屈曲線等Ｃに対応する位置に爪先側にふくらんだ曲線で形成されている。
このようなインソール２００は、靴内におけるフィット性を高めるためや、幼児等の足が幼児用靴１００のサイズに比べ若干、小さい場合等にサイズを調整等するために配置される。
このようにインソール２００を幼児用靴１００の中底１１１に配置した場合でも、本実施の形態ではインソール２００にも、靴底本体１１２の溝部１１２ａと同様の屈曲用溝部２０１が同様の形状で同様の位置に設けられている。
したがって、幼児等が歩行に際し上述のように足指屈曲等を行う際、インソール２００がその屈曲を妨げることなく、歩行しやすい幼児用靴１００となる。
【００５９】
（トウアッパー１２５について）
図１４は、図１の幼児用靴１００のトウアッパー１２５を靴幅方向に切断した状態を示す概略断面図である。
このトウアッパー１２５は、アッパー本体１２１の柔らかい材質の上に舌片１３０と同様に、例えば合成皮革等で覆うことや、カウンター１５０と同様な補強を行うことで他の部分より剛性が高められるように構成されている。
具体的には、このアッパー１２５の合成皮革等は、図１に示すその外縁部１２５ａが、縫合部１７１の位置又はそれより爪先側に配置されるので、図７に示すように足指を屈曲する際に、縫合部１７１等の屈曲を妨げず、外縁部１２５ａも縫合されているため、脆弱部として機能して屈曲し易い構成となっている。
一方、幼児用靴１００の爪先部であるトウアッパー１２５自体は、爪先部を保護するためにも他の部分より剛性を高める必要もあるので、上述のように足指の屈曲や背屈を妨げない範囲で剛性が高められている。
【００６０】
また、図１４に示すように、幼児用靴１００のトウアッパー１２５の内側における高さは、幼児の足の親指が配置される部分が最も厚く、小指が配置される部分に向かって漸次薄くなるように形成されている。
すなわち、トウアッパー１２５の内側における親指との間の上下方向における隙間部が、他の足指と前記爪先部の内側との隙間部に比べ大きくなるように形成されている。
【００６１】
このように親指と前記爪先部との間に最も隙間部が形成されているのは、幼児に多く見られる動きである歩行に際して親指を背屈を行っても、この親指の背屈動作を前記爪先部が阻害しないためである。
この親指の背屈を行うことで歩行時等における身体のバランスを保つだけでなく、足の筋の運動となり、扁平足を未然に防止し、歩行における運動機能の発達を促すこととなる。
このように幼児が歩行に際して、バランスを保つため、幼児用靴１００の内部で親指を背屈することが可能であるので、円滑な歩行練習ができる構成ともなっている。
また、小指が配置される部分の外側にも隙間部が形成されている。すなわち、図９に示すように、この幼児用靴１００における最大幅部が親指及び小指の外側に位置するように形成されており、靴内部においては、小指の外側に隙間部が形成される。
すなわち、幼児等は歩行に際し、ふらついた時等に足指を広げてバランスを保とうとすることがあり、特に、小指を大きく外側に向かって広げる傾向にある。
この小指の動きを妨げないように、隙間部が形成され、歩行練習に適した幼児用靴１００とされている。
また、図６に示されるように、爪先部は先端に向かって反るようなトウスプリング１２９が形成されており、足を引きずるように歩く傾向が見られる幼児がつまずきづらい構成とされている。
【００６２】
（第２の実施の形態）
図１５は、本発明の第２の実施の形態に係る、伝え歩き期の幼児用靴３００（以下、「幼児用靴３００」とする）を示す概略斜視図である。
図１５に示す幼児用靴３００を履く、伝え歩き期の幼児は、例えば８ヶ月乃至１２ヶ月の月齢の幼児であり、その歩行形態は、机等につかまり、手の力を使い、「つかまり立ち」をしながら横に移動する状態である。そして、この「つかまり立ち」の際に、爪先立ちをしたり、爪先立ちをした状態で歩こうとする特徴がある。
【００６３】
本実施の形態の幼児用靴３００は、第１の実施の形態の幼児用靴１００と異なり伝え歩き期用であるため、若干の異なる構成となっているが、多くの構成は第１の実施の形態の幼児用靴１００と同様である。
そのため、第１の実施の形態とほぼ共通する構成については、同一符号等とし、以下、相違点を中心に説明する。
本実施の形態では、靴底部３１０が幼児用靴１００の靴底部１１０より薄く、屈曲し易く形成されている。
また、舌片３３０には、幼児用靴１００の舌片１３０と異なりセンターステッチ部１３４が形成されていない。
これは、幼児用靴３００全体の剛性を抑え、比較的柔らかく構成することで伝え歩き期の幼児が行う「つかまり立ち」等の際に行う、爪先立ち等を行い易くするためである。
また、クッション部１３１ａが舌片上端部１３１と略同等の幅の略三日月形で確実に開口端部１２２ａに合わせることができ、足首を囲繞できるよう構成されている。
【００６４】
本発明は、上述の各実施の形態に限定されない。例えば、舌片１３０を足挿入用開口部１２３の内足側に沿うように縫合し、外足側にアッパー側面ファスナー１２１ａ、ベルト側面ファスナー１３５ａを形成して、内足側に向かって舌片１３０が回動するようにして着脱するよう構成してもよく、面ファスナーではなくホックを使用する等、様々な固定方法を選択できる。
さらに、上述の各実施の形態は、相互に組み合わせて構成するようにしてもよい。
【００６５】
【発明の効果】
以上述べたように、本発明によれば、容易に着脱できるにもかかわらず使用者の足首の動きを阻害することなく、より自然に足首を動かすことができる歩き易い靴を提供することができる。
【図面の簡単な説明】
【図１】本発明の実施の形態に係る歩行練習期用幼児用靴を示す概略斜視図である。
【図２】図１の幼児用靴の中央縦断図を示す概略図である。
【図３】図１の靴底本体を示す概略底面図である。
【図４】足の骨格等を示す概略説明図である。
【図５】図１の履き口部を開状態にした概略平面図である。
【図６】カウンター部の配置状態等を示す概略図である。
【図７】使用者の歩行状態等を示す概略説明図である。
【図８】図５のＢ−Ｂ’線概略断面図である。
【図９】図１の概略平面図である。
【図１０】人の足の概略骨格図である。
【図１１】図５のＡ−Ａ’線概略部分断面図である。
【図１２】人における足の骨格等の概略説明図である。
【図１３】（ａ）はインソールの概略低面図であり、（ｂ）は図１１（ａ）のＥ−Ｅ’線概略断面図である。
【図１４】図１の幼児用靴のトウアッパーを靴幅方向に切断した状態を示す概略断面図である。
【図１５】本発明の第２の実施の形態に係る、伝え歩き期の幼児用靴を示す概略斜視図である。
【図１６】従来の靴を示す概略斜視図である。
【図１７】従来の靴を示す他の概略斜視図である。
【符号の説明】
１００、３００・・・幼児用靴、１１０、３１０・・・靴底部、１１１・・・中底、１１２・・・靴底本体、１１２ａ・・・溝部、１１２ｂ・・・滑り止め部、１２０・・・アッパー本体部、１２１・・・アッパー本体、１２１ａ・・・アッパー側面ファスナー、１２２・・・履き口部、１２２ａ・・・開口端部、１２２ｂ・・・スポンジ、１２３・・・足挿入用開口部、１２５・・・トウアッパー、１２５ａ・・・外縁部、１２９・・・トウスプリング、１３０、３３０・・・舌片、１３１・・・舌片上端部、１３１ａ・・・クッション部、１３２・・・剛性部、１３２ａ・・・表地、１３２ｂ・・・芯地、１３３・・・緩衝部、１３３ａ・・・スポンジ、１３３ｂ・・・裏地、１３４・・・センターステッチ部、１３５・・・固定ベルト、１３５ａ・・・ベルト側面ファスナー、１４０・・・踵部、１４１・・・アッパー側踵部、１４２・・・靴底側踵部、１５０・・・カウンター部、１５１・・・外縁部、１６０・・・カウンターループ、１７０・・・基部、１７１・・・縫合部、２００・・・インソール、２０１・・・屈曲用溝部。
【図１】
2004208926.tif 000003
【図２】
2004208926.tif 000004
【図３】
2004208926.tif 000005
【図４】
2004208926.tif 000006
【図５】
2004208926.tif 000007
【図６】
2004208926.tif 000008
【図７】
2004208926.tif 000009
【図８】
2004208926.tif 000010
【図９】
2004208926.tif 000011
【図１０】
2004208926.tif 000012
【図１１】
2004208926.tif 000013
【図１２】
2004208926.tif 000014
【図１３】
2004208926.tif 000015
【図１４】
2004208926.tif 000016
【図１５】
2004208926.tif 000017
【図１６】
2004208926.tif 000018
【図１７】
2004208926.tif 000019